(57)【要約】【課題】  捕集した毛髪等の流入物を簡単に排出できるヘアキャッチャーを提供する。【解決手段】  平面視円形のヘアキャッチャー本体２３の外周よりも窪ませた凹部２４の側部の一部の領域に、複数の排水孔２９を形成した排水部２８を備え、凹部の側部における排水部とは異なる領域に流入物を排出するための平滑な側面平滑部３０を備え、凹部の下部に、側面平滑部と連続する平滑な底面平滑部３１と、水抜き穴３２とを備える。【選択図】図１
2015214809.tif 000002
【特許請求の範囲】
【請求項１】
平面視円形のヘアキャッチャー本体の外周よりも窪ませた凹部の側部の一部の領域に、複数の排水孔を形成した排水部を備え、前記凹部の側部における前記排水部とは異なる領域に流入物を排出するための平滑な側面平滑部を備え、
前記凹部の下部に、前記側面平滑部と連続する平滑な底面平滑部と、水抜き穴とを備えることを特徴とするヘアキャッチャー。
【請求項２】
前記排水部が形成されている側の前記底面平滑部に前記水抜き穴を備えることを特徴とする請求項１に記載のヘアキャッチャー。
【請求項３】
前記排水部に対向する側の頂部に摘み部を備え、前記摘み部と前記排水部の間の領域に、前記側面平滑部を備えることを特徴とする請求項１又は２に記載のヘアキャッチャー。
【請求項４】
前記排水部と前記側面平滑部の間の頂部に、オーバーフローした水を排出するためのオーバーフロー孔を有するオーバーフロー水排出部を前記ヘアキャッチャー本体から立設して備えることを特徴とする請求項１から３のいずれか一項に記載のヘアキャッチャー。
【請求項５】
前記オーバーフロー水排出部の上部に前記摘み部を備えることを特徴とする請求項４に記載のヘアキャッチャー。
【請求項６】
前記オーバーフロー水排出部の側面平滑部に近い部分に前記摘み部を備えることを特徴とする請求項５に記載のヘアキャッチャー。
【発明の詳細な説明】
【技術分野】
【０００１】
本発明は、ヘアキャッチャーに関する。
【背景技術】
【０００２】
浴室の洗い場に設けられる排水口には、排水に含まれる毛髪等の流入物を捕集するためにヘアキャッチャーが設置されている。
【０００３】
このようなヘアキャッチャーとしては、毛髪等の流入物を捕集するための排水孔と、排水が多く流入した場合に排水が溢れ出ることを防止するために、オーバーフローした水を排出するためのオーバーフロー水排出部を備えたものが知られている。
【０００４】
一方、このような構成のヘアキャッチャーに溜まった毛髪等の流入物を捨てる場合には、ヘアキャッチャーを排水口から外し、裏返して溜まった毛髪等の流入物を振り落して捨てるのが一般的である。
【０００５】
しかしながら、比較的大きい流入物は裏返して捨てることが可能であるが、毛髪等の細長い流入物は排水孔に絡まり、容易に取れず排出できない場合があった。そして、このように排水孔に絡まった細長い流入物を全て取り除くためには、直接指で摘む等の作業が必要である。このため、非常に手間がかかり、また、不衛生であるといった問題があった。
【０００６】
これらの問題を解決するために、これまでに、毛髪等の細長い流入物を纏めて捕集することが可能なヘアキャッチャーが提案されている（例えば、特許文献１を参照）。
【０００７】
この提案では、ヘアキャッチャーの上部に上部排水流出部が設けられ、その上部排水流出部には排水中の毛髪等の流入物の流出を抑止しながら排水のみを流出させるための孔が側面の上部全域に亘って複数形成している。また、上部排水流出部の下部には、排水を導入して旋回させ、毛髪等の流入物を捕集するための一時保水部を設けてもいる。
【０００８】
このようなヘアキャッチャーによれば、一時保水部に毛髪等の流入物を捕集することを可能としている。
【先行技術文献】
【特許文献】
【０００９】
【特許文献１】特開２００９−１４４４９０号公報
【発明の概要】
【発明が解決しようとする課題】
【００１０】
しかしながら、このようなヘアキャッチャーの場合にも、底部に集めた毛髪等の流入物を捨てる際には、ヘアキャッチャーを裏返して毛髪等の流入物を振り落す操作が必要となる。
【００１１】
しかも、例えば、ゴミ箱の上方で毛髪等の流入物を振り落す操作をした場合、ヘアキャッチャーや毛髪等の流入物に付着している排水がゴミ箱の周囲に飛び散り、不衛生であるといった問題があった。
【００１２】
また、上記操作を避けるため、ヘアキャッチャーの内壁に沿って流入物を滑らせて排出しようすると、ヘアキャッチャーの側面の上部全域に亘って複数形成された孔に毛髪等の細長い流入物が引っかかり、容易には排出しにくいという問題もあった。
【００１３】
本発明は、上記従来の問題点に鑑みてなされたものであり、毛髪等の流入物を容易に捕集でき、また捕集した毛髪等の流入物を簡単に排出できるヘアキャッチャーを提供することを課題とする。
【課題を解決するための手段】
【００１４】
本発明は、上記の課題を解決するために、以下のことを特徴としている。
【００１５】
すなわち、本発明のヘアキャッチャーは、平面視円形のヘアキャッチャー本体の外周よりも窪ませた凹部の側部の一部の領域に、複数の排水孔を形成した排水部を備え、凹部の側部における排水部とは異なる領域に流入物を排出するための平滑な側面平滑部を備え、凹部の下部に、側面平滑部と連続する平滑な底面平滑部と、水抜き穴とを備えることを特徴とする。
【発明の効果】
【００１６】
本発明のヘアキャッチャーによれば、毛髪等の流入物を容易に捕集でき、また捕集した毛髪等の流入物を簡単に排出できるヘアキャッチャーを提供することが可能となる。
【図面の簡単な説明】
【００１７】
【図１】本発明の一実施形態のヘアキャッチャーを示す斜視図である。
【図２】本発明の一実施形態のヘアキャッチャーの平面図である。
【図３】本発明の一実施形態のヘアキャッチャーの側面図である。
【図４】ヘアキャッチャーを浴室の洗い場の排水口に設置した状態の排水構造を示す断面図である。
【発明を実施するための形態】
【００１８】
以下、発明を実施するための形態をあげて、本発明のヘアキャッチャーをさらに詳細に説明する。
【００１９】
図１に示したように、本実施形態のヘアキャッチャー１は、平面視円形のヘアキャッチャー本体２３の外周よりも窪ませた凹部２４の側部の一部の領域に、複数の排水孔２９を形成した排水部２８を備えている。また、ヘアキャッチャー１は、凹部２４の側部における排水部２８とは異なる領域に流入物を排出するための平滑な側面平滑部３０を備え、凹部２４の下部に、側面平滑部３０と連続する平滑な底面平滑部３１と、水抜き穴３２とを備えている。
【００２０】
次に、本実施形態のヘアキャッチャー１による排水構造について説明する。図４は、ヘアキャッチャーを浴室の洗い場の排水口に設置した状態の排水構造を示す断面図である。
【００２１】
浴室の床パン３は、洗い場を構成する洗い場部４と浴槽が設置される浴槽設置部５を備えている。洗い場部４の浴槽設置部５側の端部には凹所６が形成されており、凹所６の底部には、排水トラップ８を取り付けるための取付口７が形成されている。
【００２２】
排水トラップ８は、取付口７の下方に配置される容器状のトラップ本体９と、トラップ本体９に取り付けた取付用筒体１０と、トラップ本体９の内側に挿入される封水筒体１１とを備えている。トラップ本体９の上面に形成した開口部９１には取付用筒体１０の下部がねじ込んで取り付けられている。
【００２３】
また、この取付用筒体１０の上端部外周から突設した上側鍔部１３とトラップ本体９の開口部９１の周縁部とで取付口７の周縁部をパッキン１４を介して挟持することで、トラップ本体９は水密的に取付口７に取り付けられている。トラップ本体９の外周壁部の上部には出口部１５が設けられており、出口部１５にはトラップ本体９内の排水を下水へ排出するための排水管１６が接続されている。
【００２４】
封水筒体１１の下部は、トラップ本体９の出口部１５よりも下方の位置まで挿入されて、トラップ本体９内の溜水内に浸かっており、これによりトラップ本体９内に封水部が形成されている。また、取付用筒体１０の上端開口部には排水口２が形成されており、排水口２にヘアキャッチャー１が着脱自在に取り付けられている。
【００２５】
また、凹所６には排水口２の上方を覆う排水カバー１７が配置されている。排水カバー１７は、外周部から下方に向けて突設した脚部２１を有している。脚部２１を取付口７の周縁部よりも一段高くなった凹所６の底部に載置することにより、排水カバー１７は、ヘアキャッチャー１の上方に設置されている。排水カバー１７の外周縁から下方に突出した複数の脚部２１間には開口１２が形成されており、開口１２の上縁と凹所６の底部の間に流水用隙間２２が形成されている。流水用隙間２２は排水カバー１７の四方に形成されており、流水用隙間２２を通って排水が排水カバー１７の四方から流入するようになっている。
【００２６】
上記のとおりの排水構造によれば、床パン３の洗い場部４上の毛髪等を含む排水が凹所６の内周面と排水カバー１７の外周面との間の隙間２０から流水用隙間２２を通って排水カバー１７の下方に流入する。次いで、排水口２に流入してヘアキャッチャー１で毛髪等の流入物が捕集され、排水のみが封水筒体１１、トラップ本体９、排水管１６を順を通って外部に排出される。
【００２７】
以下、排水口２に設置されるヘアキャッチャー１について説明する。
【００２８】
図１から図３に示すヘアキャッチャー１では、平面視円形で上部が開口し、下方に窪ませた凹部２４を有するヘアキャッチャー本体２３により主体が構成されている。
【００２９】
ヘアキャッチャー本体２３は、凹部２４の下部に比べて上部の傾斜がなだらかな形状となっている。また、ヘアキャッチャー本体２３の上端縁には、外側方向に突出する円環状の外周部２５が設けられ、外周部２５によりヘアキャッチャー本体２３の外周縁部が構成されている。外周部２５の側部には下方に延出した延出部２６が形成され、延出部２６にはヘアキャッチャー本体２３の周方向に伸びてヘアキャッチャー本体２３の外側に開口する係止溝２７が形成されている。
【００３０】
延出部２６および係止溝２７を有する部分は、ヘアキャッチャー本体２３と一体または別体とすることができる。
【００３１】
ヘアキャッチャー１を図４に示す排水構造における排水口２に取り付ける場合には、ヘアキャッチャー本体２３を排水口２に挿入した後にヘアキャッチャー１を周方向に回動する。この回動により、係止溝２７の一端開口から、排水口２の内面に突設して設けられた係止突部３７が挿入され、ヘアキャッチャー１が係止される。こうしてヘアキャッチャー１は、排水口２に取り付けられる。
【００３２】
排水口２からヘアキャッチャー１を取り出す際には、ヘアキャッチャー１を取り付け時とは反対方向に回動させ、係止溝２７から係止突部３７を抜き出し、係止を解除して上方に引き上げる。こうしてヘアキャッチャー１は、排水口２から取り出される。
【００３３】
また、ヘアキャッチャー本体２３では、凹部２４の側部の一部の領域に排水部２８が設けられている。本実施形態では、排水部２８が凹部２４の約半分の領域に設けられており、排水部２８には矩形に貫通した排水孔２９が複数形成されている。このような排水部２８により、排水時には排水部２８に設けられた複数の排水孔２９を通して排水がなされ、かつ排水部２８にて毛髪等の流入物の流出が抑制される。
【００３４】
また、ヘアキャッチャー本体２３では、凹部２４の側部における排水部２８とは異なる領域に、毛髪等の流入物を排出するための平滑な側面平滑部３０が形成されており、凹部２４の下部には、側面平滑部３０と連続する平滑な底面平滑部３１と、水抜き穴３２とが設けられている。
【００３５】
排水部２８は、凹部２４の下部に向かって傾斜する勾配が連続して設けられており、排水部２８にて流出が抑制された流入物は、排水部２８の下方に位置する底面平滑部３１に集積されるようになっている。また、底面平滑部３１に溜まる排水や集積した流入物に含まれる水分は、水抜き穴３２から排出されるようになっている。そのため、毛髪等の流入物を底面平滑部３１に容易に捕集できるようになっている。
【００３６】
ヘアキャッチャー１によって捕集した流入物の排出は、排水口２に設置されているヘアキャッチャー１を取出して傾け、底面平滑部３１に堆積している流入物を底面平滑部３１から連続する側面平滑部３０に沿って移動させることにより行うことができる。これにより、従来流入物の排出時に行っていた、ヘアキャッチャー１を裏返して毛髪等の流入物を振り落す動作を行う必要がないため、排水が飛び散ることなく容易に流入物の排出を行うことができる。
【００３７】
なお、捕集した流入物を排出する際には、ティッシュペーパー等を使って、底面平滑部３１に堆積している流入物を底面平滑部３１から連続する側面平滑部３０に沿って移動させることにより、拭き取るようにしてもよい。この場合は、ヘアキャッチャー１を排水溝２から取出さずに、拭き取るようにしてもよい。
【００３８】
このようなヘアキャッチャー１においては、排水部２８が形成されている側の底面平滑部３１に水抜き穴３２を備えることが好ましい。この場合、底面平滑部３１から側面平滑部３０にかけて連続した滑らかな平滑面を形成することができ、流入物の排出をより容易にすることができる。
【００３９】
また、ヘアキャッチャー１においては、排水部２８に対向する側の頂部に摘み部３３を備え、摘み部３３と排水部２８の間の領域に側面平滑部３０を備えることが好ましい。摘み部３３は、横長の板状の形状を有し、ヘアキャッチャー１の頂部から外側に向かって突出して設けることができる。
【００４０】
摘み部３３を設けることにより、排水口２に設置してあるヘアキャッチャー１の取り扱いを摘み部３３を指で摘んで容易かつ衛生的に行うことができる。
【００４１】
また、ヘアキャッチャー１においては、排水部２８と側面平滑部３０の間の頂部に、オーバーフローした水を排出するためのオーバーフロー孔３５を有するオーバーフロー水排出部３４をヘアキャッチャー本体２３から立設して備えることが好ましい。
【００４２】
オーバーフロー水排出部３４は、上下端が開口して貫通した筒状の形状となっており、上端に下端の開口に通じるオーバーフロー孔３５を１つ有するものである。オーバーフロー水排出部３４は、ヘアキャッチャー本体２３の側部から内側に沿って突出させることができる。また、オーバーフロー水排出部３４のヘアキャッチャー本体２３の上端部から上に突出した内側の側面に、補助オーバーフロー孔３６を設けることができる。
【００４３】
オーバーフロー水排出部３４は、例えば、排水孔２９が流入物で目詰まりして排水の水位がオーバーフロー水排出部３４よりも上方に位置した場合に、オーバーフロー水をオーバーフロー孔３５を通して排水するものである。
【００４４】
補助オーバーフロー孔３６を設ける場合には、上昇してきた排水をオーバーフロー孔３５を通して排水するより前に、一部のオーバーフロー水を補助オーバーフロー孔３６から排出でき、排水のオーバーフローの抑制に有効となる。
【００４５】
また、ヘアキャッチャー１においては、オーバーフロー水排出部３４の上部に摘み部３３を備えることが好ましい。こうすることによって、摘み部３３がオーバーフロー水排出部３４より高い位置となり、排水がオーバーフローする際にも摘み部３３に流入物が引っ掛りにくくなるため、摘み部３３が常時清潔に保たれ、ヘアキャッチャー１の取り扱いを衛生的に行うことができる。
【００４６】
また、ヘアキャッチャー１では、オーバーフロー水排出部３４の側面平滑部３０に近い部分に摘み部３３を備えることが好ましい。こうすることによって、排水がオーバーフローする際の流入物の摘み部３３への引っ掛かりをより効果的に抑制することができる。
【００４７】
また、捕集した流入物を排出する際には、摘み部３３を摘んでヘアキャッチャー１を傾けることにより、底面平滑部３１に堆積している流入物を底面平滑部３１から連続する側面平滑部３０に沿って容易に移動させることができる。
【００４８】
以上、本発明のヘアキャッチャーを一実施形態に基づいて説明したが、本発明のヘアキャッチャーは上記の実施形態に限定されるものではなく、その要旨を逸脱しない範囲内において種々の変形、変更が可能である。
【００４９】
例えば、ヘアキャッチャー１では、排水部２８に矩形の排水孔２９が複数形成されているが、排水孔２９の形状は、例えば、円形や楕円形等とすることもできる。
【００５０】
また、オーバーフロー水排出部３４では、排水量を十分に確保することができる場合には、補助オーバーフロー孔３６を省略することができる。
【符号の説明】
【００５１】
１  ヘアキャッチャー
２３  ヘアキャッチャー本体
２４  凹部
２８  排水部
２９  排水孔
３０  側面平滑部
３１  底面平滑部
３２  水抜き穴
３３  摘み部
３４  オーバーフロー水排出部
３５  オーバーフロー孔
【図１】
2015214809.tif 000003
【図２】
2015214809.tif 000004
【図３】
2015214809.tif 000005
【図４】
2015214809.tif 000006